(57)【特許請求の範囲】
【請求項１】
苗台の上方部に、前記苗台に苗を受継ぐ苗継ぎ位置と、この苗継ぎ位置に対して側方に変位した位置で苗を補給する苗補給位置とにわたり横移動可能とした延長苗台が設けられている移植機において、前記苗台は、前記延長苗台を横移動可能に支持する苗台ガイドが設けられた苗台フレームを有しており、前記延長苗台は該延長苗台よりも前記横移動の方向へ延出された操作体を有することを特徴とする移植機。
【発明の詳細な説明】
【０００１】
【発明の属する技術分野】
本発明は、野菜などの苗を圃場に移植する移植機に関する。
【０００２】
【従来の技術】
従来、この種移植機は、苗台を備え、この苗台に、多数のポット苗を収容した苗トレイを搬送可能に支持し、この苗トレイにより搬送するポット苗を１株ずつ移植するように構成されている。
【０００３】
【発明が解決しようとする課題】
ところが、従来の移植機では、苗台は往復動機構により苗トレイの幅に見合う範囲内で往復動可能になっているに過ぎないから、例えば、運転席をもった走行機体の後方側に苗台を配設した乗用形移植機の場合、苗台に対し運転席が前方側に遠く離れることになる。この結果、走行機体の運転席位置で苗台に苗継ぎすることが困難となる不具合があった。
【０００４】
本発明は、苗台に対し作業者位置が遠く離れることになる移植機であっても苗台への苗継ぎを簡易に行うことができる移植機を提供することをその主目的とする。
【０００５】
【課題を解決するための手段】
本発明は、以上の目的を達成するため、請求項１記載の発明は、苗台の上方部に、前記苗台に苗を受継ぐ苗継ぎ位置と、この苗継ぎ位置に対して側方に変位した位置で苗を補給する苗補給位置とにわたり横移動可能とした延長苗台が設けられている移植機において、前記苗台は、前記延長苗台を横移動可能に支持する苗台ガイドが設けられた苗台フレームを有しており、前記延長苗台は該延長苗台よりも前記横移動の方向へ延出された操作体を有することを特徴とする。
【０００６】
【発明の作用効果】
請求項１記載の発明では、図１に示すように、延長苗台を、苗台に苗を受継ぐ苗継ぎ位置に対して側方に変位した苗補給位置に横移動させて苗を補給することができ、しかも、この苗補給後の延長苗台を苗継ぎ位置に横移動させることにより苗台に苗を受継ぐことができるので、苗台に対し作業者位置が遠く離れることになる移植機であっても苗台への苗継ぎを簡易に行うことができる。
【０００７】
【発明の実施の形態】
図５〜７は、移植機として、トラクタから成る走行機体１の後方側に、ユニット形とされた左右一対の植付ユニットＡ，Ａを連結して成る２条植乗用タイプのものを示している。前記走行機体１は、既知のものであって、機体１の前方上部にエンジンを搭載し、該エンジンの後方側に、ＰＴＯ軸１０をもった走行ミッションケース１１を備え、この走行ミッションケース１１の両側に一対の左右駆動車輪１２を設けると共に、走行ミッションケース１１の上方に油圧型昇降シリンダ１３と運転席１４とを設ける一方、機体１の後部に、前記昇降シリンダ１３により上下に揺動される左右一対のリフトアーム１５と、上下動可能な左右一対のロワリンク１６と、油圧型リンクシリンダから成る一つのトップリンク１７とを設けている。
【０００８】
そして、各リフトアーム１５に連結されたリフトリンク１８の先端を各ロワリンク１６の中間部に枢着すると共に、各ロワリンク１６の先端部間に、左右方向に延びる四角筒形のツールバー２０と、後方に延びる略コ字形のヒッチフレーム（図示せず）とを取付け、更に、上方に延びる一対のリンクフレーム２１を枢着し、このリンクフレーム２１の上端部を、前記トップリンク１７の先端部に枢着すると共に、各リンクフレーム２１の上端間に、左右方向に延びるガイドレール２２を取付けている。
【０００９】
また、前記ヒッチフレームの端部に、自在軸継手を介して前記ＰＴＯ軸１０に連動するギヤを内装したＴ形ギヤケース２３を取付け、このギヤケース２３に、左右方向に延びるＰＴＯ横軸２４を回転自由に支持すると共に、前記ツールバー２０の左右両端部に一対の軸受筒２５，２５をもった摺動体２６，２６をスライド自由に支持し、これら摺動体２６，２６に前記各植付ユニットＡ，Ａのユニットフレーム３０，３０を一対のヒッチ板３ａ，３ａを介して支持すると共に、各軸受筒２５，２５に前記ＰＴＯ横軸２４の両端部を回転自由に支持している。
【００１０】
また、各植付ユニットＡ，Ａは、上下部位にガイドレール３０ａ，３０ｂをもったユニットフレーム３０，３０と、上下方向に延び前記ガイドレール３０ａ，３０ｂ間に前後往復動可能に支持された苗台４，４と、この苗台４，４の苗受面４１に支持され、多数のポット苗を収容した苗トレイから１株分のポット苗を取出す箸形の苗取爪３１，３１と、該苗取爪３１，３１に連動して所定の植付軌跡を描きながら上下往復動され、その上部の苗受取位置で前記苗取爪３１から放出するポット苗を受取り、下部の植付位置でポット苗を圃場に植付ける２つ割とされた植付カップ３２，３２と、前記ＰＴＯ横軸２４からの回転動力を前記苗取爪３１，３１及び植付カップ３２，３２に伝える一対の植付駆動機構３３，３３と、各苗台４，４をガイドレール３０ａ，３０ｂに沿って前後方向に往復動させる往復動機構（図示せず）と、苗台４，４が往復動方向の終端位置に移動したとき、該苗台４，４に支持した苗トレイを下方に向かって１ピッチ縦送りする縦送機構３４，３４とを設けている。
【００１１】
前記各植付駆動機構３３，３３は、各ユニットフレーム３０，３０に固定された植付駆動ケース３５，３５を備え、この植付駆動ケース３５，３５における第１出力軸と前記苗取爪３１，３１との間に、該苗取爪３１，３１を苗トレイからの苗取位置と植付カップ３２の真上側における放出位置との範囲で往復移動させる爪作動機構（図示せず）を設け、第２出力軸と植付カップ３２，３２との間に、該植付カップ３２，３２をポット苗の苗受取位置と圃場内に突入される植付位置との範囲で所定の植付軌跡を描きながら上下移動させるカップ作動機構３６，３６を設けている。
【００１２】
更に、各苗台４，４は、図２に示すように苗受面４１と、該苗受面４１の両側から起立する立上片４２，４３及び苗受面４１の左右方向中央部から起立し、苗トレイにおける幅方向中央部のコップ状セル間に介入するセンターリブ４４とを備え、これら苗台４，４に、上端部から上方に向かって延び、かつ、その先端を連結した逆Ｕ字形の苗台フレーム５，５を設け、これら苗台フレーム５，５に、上下に所定スパン隔てて一側方に延びる一対の杆状部材から成る苗台ガイド５１，５２を設け、これら苗台ガイド５１，５２に、前記苗台４，４と同形状の延長苗台６，６を、苗台４，４に苗を受継ぐ苗継ぎ位置（図１位置）と、この苗継ぎ位置に対して側方に変位した位置で苗を補給する苗補給位置（図３位置）とにわたり横移動可能に支持するのである。また、前記各苗台ガイド５１，５２の両端には、前記延長苗台６，６の移動範囲を規制するストッパ５３，５３を設けている。
【００１３】
前記延長苗台６，６は、図２に示すように前記苗台４，４と同様、苗受面６１と、該苗受面６１の両側から起立する立上片６２，６３及び苗受面６１の左右方向中央部から起立し、苗トレイにおける幅方向中央部のコップ状セル間に介入するセンターリブ６４とを備え、これら延長苗台６，６の裏面に、前記苗台ガイド５１，５２に着脱可能に掛止する凹状の掛止体６５，６６を上下に所定スパン隔てて設けると共に、一方の立上片６２から側方に向かって延び、かつ、その先端を連結した略コ字形の引手から成る操作体６７と、各立上片６２，６３及びセンターリブ６４を貫通して前記苗受面６１に載せる苗トレイの滑りを規制する規制部６８ａ及び該規制部６８ａの一端から前記操作対６７の方向に延びる摘み部６８ｂをもったトレイ受体６８とを設け、このトレイ受体６８を、前記操作体６７の方向に横移動可能にしている。また、前記操作体６７の中間部には、前記トレイ受体６８の中間部を支持する板状の支持体６９を設けて、トレイ受体６８を操作体６７方向に横移動させて苗トレイの規制を解除したとき、トレイ受体６８の離脱を防止するようにしている。
【００１４】
以上の構成において、移植作業の開始時は、苗台４，４と延長苗台６，６とに苗トレイを介して苗を載せるのである。そして、移植作業の進行に伴い、苗台４，４及び延長苗台６，６の苗が空になると、図５のように走行機体１の運転席１４位置から延長苗台６，６を苗継ぎ位置に対して運転席１４側に変位した苗補給位置に横移動させるのである。このように延長苗台６，６を運転席１４に近寄せることができるから、走行機体１の前部などに予め搭載した予備苗を、運転席１４位置から延長苗台６，６に容易に補給することができる。次に、図１に示すように操作体６７を摘んで苗補給位置の延長苗台６，６を後方の苗継ぎ位置に横移動させた後、トレイ受体６８を運転席１４側に引張って苗トレイの滑り規制を解除することにより、延長苗台６，６上の苗トレイが自重で滑り、苗台４，４に苗を受継ぐことができる。このように運転席１４位置から延長苗台６，６への苗補給及び苗台４，４への苗継ぎが行えるから、苗台４，４に対し作業者位置が遠く離れることになる例えば乗用形移植機であっても苗台４，４への苗継ぎを簡易に行うことができるのである。尚、苗台４，４に苗を受継いだ後、前記延長苗台６，６を再び苗補給位置に横移動させることにより、この延長苗台６，６に苗を補給することができるのである。
【００１５】
また、前記延長苗台６，６は、苗台ガイド５１，５２に着脱可能に掛止しているから、苗台ガイド５１，５２から取外すことにより、この延長苗台６，６を、苗の運搬台として利用することができるのである。
【００１６】
尚、前記操作体６７としては、例えばアクチュエータを用い、このアクチュエータへの流体経路を切換える切換弁の操作部を運転席１４の近くに配置してもよい。
【００１７】
また、図４に示した実施形態の苗台４，４には、両側立上片４２，４３から上方に向かって延びる一対の支持棒７１，７１と、これら支持棒７１，７１の上端部間に回転自由に架設するローラ７２とから成る葉押え体７，７を高さ調整可能に設けている。この葉押え体７，７は、苗取爪３１，３１による苗取り位置に対しローラ７２が若干上方となるように配置して、苗取爪３１，３１で取出されるポット苗に対し一つ上方側ポット苗と干渉させ、この上方側ポット苗の葉が、苗取爪３１，３１で取出されるポット苗の葉とからみあうのを防止するようにしている。またこの葉押え体７，７の高さ調整は、苗台４，４に設ける取付筒体７３，７３に、半径方向に貫通して支持棒７１，７１を押圧する締付ねじ７４，７４を螺着し、この締付ねじ７４，７４の操作で支持棒７１，７１の固定位置を変更することにより調整するのである。図４の如く構成することにより、苗取爪３１，３１による苗取り時の苗の共抜けを確実に防止できるのであり、また、苗台４，４に設けているから、往復動機構により苗台４，４が往復動しても、苗受面４１，４１との相対位置が変わることなく葉押えを安定でき、また、ローラ７２を用いているから、縦送り機構３４，３４による苗トレイの縦送り時、葉との引掛かりをなくして苗をスムーズに送ることができ、更に、高さを調整できるようにしているから、移植作業毎に苗長さが異なるとしても、苗の長さに応じた高さに調整できるのである。
【００１８】
また一方、前記カップ作動機構３６，３６の伝動ケース３６ａ，３６ａは、植付駆動ケース３５，３５における第２出力軸の周りに上下に揺動自由に支持され、この伝動ケース３６ａ，３６ａに、前後方向に延びる支持フレーム８，８を介して鎮圧輪８０，８０と覆土輪８１，８１を転動自由に支持している。
【００１９】
尚、図１〜図３において４５，４５は苗台における立上片４２，４３とセンターリブ４４との間に立設した中間リブ、図４において４６，４６は苗台４，４の苗受面４１，４１から苗トレイが傾いて脱落するのを防止する棒状のトレイ押え、４７，４７はポット苗が取出された後の空トレイを苗台の裏面側から上方に向かって搬出するトレイガイド、図５において１９，１９は各ユニットフレーム３０，３０の前部上方位置と機体１との間に張設したコイルバネ、８２は各植付ユニットＡ，Ａの高さを調節するゲージ輪、８３，８３は前記鎮圧輪８０の前方側に位置して、植付カップ３２の苗植付部に相当する位置の畝上面を切開するカッター、８４，８４はこのカツター８３，８３と前記鎮圧輪８０，８０との間に位置して前記カッターで切開した土壌を均平にする均平板でである。
【００２０】
又、本発明の移植機は実施形態で示したように多条植形である他、一条植形であってもよいし、また、トラクタに搭載する乗用タイプである他、歩行タイプであってもよい。
【００２１】
次にこの歩行タイプの移植機の実施形態を図８〜図１０に基づいて説明する。
【００２２】
図８〜図１０に示した移植機は、前後左右両側に一対の前輪１０１，１０１及び後輪１０２，１０２を備え、これら各輪１０１，１０２で支持されるフレーム１００と、エンジン２０１や移植部Ａなどを備えた機体２００とから成り、この機体２００を前記フレーム１００に機体幅方向にスライド可能に支持させて構成している。
【００２３】
前記フレーム１００は、図９のように、機体前後方向に延び、幅方向左右両側に機体幅寸法より広い間隔を置いて配置される第１及び第２杆体１０３，１０４と、該各杆体１０３，１０４の中間部位で第２杆体１０４寄りに配置される機体前後方向の第３杆体１０５と、これら各杆体１０３，１０４，１０５の長さ方向前端側に固定される直杆状の第１スライドレール１０６と、前記各杆体１０３，１０４，１０５の長さ方向後端側に固定され、前記第１スライドレール１０６と平行状に延びる第２スライドレール１０７とから枠状に構成している。
【００２４】
前記各杆体１０３，１０４，１０５は、その長さ方向前端側から後方に向かって水平状に延びる形状としており、その前端側には、前部側板１０８をそれぞれ固着して、これら各側板１０８間に前記第１スライドレール１０６を貫通させて架設支持し、また、後端側には後部側板１０９を固着して、これら後部側板１０９間に前記第２スライドレール１０７を固定支持し、これら第１，第２スライドレール１０６，１０７と各杆体１０３，１０４，１０５とを一体状に結合して枠組している。
【００２５】
さらに、前記第１杆体１０３の前端側に固着される前記前部側板１０８の前記第１スライドレール１０６における支持部位下方側には、機体幅方向外方に延びる支持部１１０を突設し、この支持部１１０を介して、前記左側前輪１０１を支持する支持アーム１１１の上端側ボス部を支持している。また、前記第２及び第３杆体１０４，１０５の前端側に固着される前記前部側板１０８の前記第１スライドレール１０６における支持部位下方側には、前記支持部１１０と同心状に機体幅方向外方に延びる支持部１１２を突設し、この支持部１１２を介して、前記右側前輪１０１を支持する支持アーム１１３の上端側ボス部を支持している。これら左右の前輪１０１，１０１は、図１０に示すように、各支持部１１０，１１２に対するボス部の受け入れ方向を反転変更することにより、そのトレッドを変更できるようにしている。
【００２６】
一方、前記第１杆体１０３の後端側に固着される後部側板１０９の下方側には、前記左側後輪１０２の伝動ケース１１４の端部連結部１１５を受入れて支持しており、この左側後輪１０２にフレキシブルチューブ１１６を套嵌した出力軸１１７の左側端部を連動させている。また、前記第２杆体１０４の後端側に固着される後部側板１０９の下方側には、前記右側後輪１０２の伝動ケース１１８の端部連結部１１９を受け入れて支持しており、この右側後輪１０２に、伸縮自在な内外筒部１０２，１２１をもつトレッド調整部１２２を介して出力軸１１７の右側端部を連動させている。各伝動ケース１１４，１１８には、車軸１２３を内外に突出させて設けており、各後輪１０２，１０２の受入れ方向を反転可能にしている。こうして、右側後輪１０２のトレッド調整部１２２での突出長さの調整と相俟って、前輪側と同様にトレッドの調整を適宜行なえるようにしており、前記前後各輪１０１，１０２のフレ−ム１００に対する機体幅方向の位置を変更することにより、そのトレッドを畝溝幅に応じて自由に変更することができるようにしている。
【００２７】
さらに、前記機体２００におけるエンジン２０１の前部側には、下部側が開放された概略コ形状の第１ブラケット２０３を前記機体２００から前方に延びる連結体２０４を介して取付け、前記ブラケット２０３の内部で左右上下部位に前記第１スライドレール１０６の外周上下部に摺接される複数の転動体２０５を回転自由に支持すると共に、前記機体２００の後部側には、略箱形状の第２ブラケット２０６を取付け、このブラケット２０６の内部に前記第２スライドレール１０７の外周上下部に摺接される複数の転動体２０７を回転自由に支持して、これら第１，第２ブラケット２０３，２０６に設ける各転動体２０５，２０７を前記各スライドレール１０６，１０７に沿って転動させながら、前記機体２００を機体幅方向にスライドさせるようになすのであり、斯くすることにより前記機体２００全体を前記フレーム１００に対し機体幅方向に安定よく、円滑に往復移動させることができるのである。
【００２８】
前記フレーム１００と前記機体２００との間には、該機体２００を前記フレーム１００側に対し機体幅方向に移動させるための往復動装置３００を設けている。
【００２９】
この往復動装置３００は、前記機体２００におけるエンジン２０１の取付部近くに配設される油圧ポンプ３０１に油圧配管を介して接続される油圧シリンダ３０２、並びに、前記フレーム１００に取付ける取付体１２４と機体２００に取付ける長穴状受入体３０３との間に介装され、前記シリンダ３０２から延びるピストンロッド３０４の往復動作で揺動される揺動アーム３０５から構成している。尚、長穴状受入体３０３は前記機体２００のほぼ重心位置に配置している。
【００３０】
そして、前記油圧ポンプ３０１から圧力油を前記シリンダ３０２内に給排させて前記ピストンロッド３０４を進退出させることにより、前記揺動アーム３０５を揺動させ、前記フレーム１００の左側に配設された第１杆体１０３に寄った側方位置と、このフレーム１００の幅方向中間部に配設された第３杆体１０５に寄った位置、つまり、前記フレ−ム１００のセンタ−位置との２位置にわたって前記機体２００が機体幅方向にスライドさせられるのである。
【００３１】
尚、機体２００のスライドによるエンジン２０１の幅方向変位を吸収して左右後輪１０２，１０２に出力軸１１７を伝達するため、エンジン２０１の動力を入力する駆動ギヤ２０８をもつ連動ユニット２０９と、出力軸１１７を構成する左右の内軸２１０，２１１とを、スプライン部をもつスリーブ２１２，２１３を介して連動させている。尚、駆動ギヤ２０８の左右には、左右の後輪への動力伝達をそれぞれ独立して入切する左右のサイドクラッチ２１４，２１５を配設している。
【００３２】
前記機体２００がスライドされない前記フレーム１００の第２杆体１０４と第３杆体１０５との間に形成される空間には、前記油圧ポンプ３０１により前記往復動装置３００の油圧シリンダ３０２と共に作動される昇降シリンダ３０６を設けており、該シリンダ３０６に設けるピストンロッド３０７の往復動作で前記前後各輪１０１，１０２の高さを上下調整できるようにしている。
【００３３】
即ち、前記フレーム１００における第２スライドレール１０７の後部側に、該スライドレール１０７と平行に延びる軸杆１２５を架設支持して、この軸杆１２５の長さ方向一端で前記ピストンロッド３０７との対向部位に、該ロッド３０７の先端側が連結される連結杆１２６を固定すると共に、前記軸杆１２５の両端にそれぞれ第１，第２杆体１２７，１２８を設けて、該各杆体１２７，１２８を、前後輪１０１，１０２の揺動支持軸上に突設する前後左右の各揺動片１２９，１３０，１３１，１３２に連結ロッド１３３，１３４，１３５，１３６を介して連結し、前後輪１０１，１０２を図８中実線で示した作業走行等を想定した下方側使用位置と想像線で示した格納及びメンテナンス等を想定した上方側非使用位置との間の範囲内で、任意の高さに、上下昇降可能にしている。
【００３４】
前記機体２００に設ける前記移植部Ａは、図１〜図７に示した実施形態の移植機と同様であるから同じ符号を用い、詳細な説明は省略するが、左右往復動可能に支持された苗台４と、この苗台４の苗受面４１に支持され、多数のポット苗を収容した苗トレイから１株分のポット苗を取出す箸形の苗取爪３１と、該苗取爪３１に連動して所定の植付軌跡を描きながら上下往復動され、その上部の苗受取位置で前記苗取爪３１から放出するポット苗を受取り、下部の植付位置でポット苗を圃場に植付ける２つ割とされた植付カップ３２と、前記機体２００の後部側に設けた植付駆動ケース３５からの回転動力を前記苗取爪３１及び植付カップ３２に伝える植付駆動機構と、苗台４を左右方向に往復動させる往復動機構と、苗台４が往復動方向の終端位置に移動したとき、該苗台４に支持した苗トレイを下方に向かって１ピッチ縦送りする縦送機構３４とを備えている。また、前記苗台４には、図１〜図３に示したものと同じく前記苗台ガイド５１，５２を設けると共に、これら苗台ガイド５１，５２に前記延長苗台６を、苗台４に苗を受継ぐ苗継ぎ位置（図１位置）と、この苗継ぎ位置に対して側方に変位した位置で苗を補給する苗補給位置（図３位置）とにわたり横移動可能に支持している。
【００３５】
また、前記機体２００の後方には左右のハンドルフレーム１３７，１３７を前記苗台４を迂回するように延設しており、これら左右のハンドルフレーム１３７，１３７の後端部に断面コ字形の受部１３８をそれぞれ結合して、該各受部１３８に、ハンドル操作部４００の前方基端側バー４０１を構成する角パイプを挿嵌し、ボルト４０２の締め込み操作及び緩め操作より、ハンドル操作部４００の全体を機体２００に対して左右中央部位置と左右一方側のオフセット位置との２位置にスライド可能にしている。
【００３６】
ハンドル操作部４００は、その後方に操作端側バー４０２をループ状に備えていると共に、左右のサイドクラッチレバー４０３，４０３、エンジン２０１の取出し出力を入切する主クラッチ兼ブレーキレバー４０４、植付駆動ケース３５の動力を入切する植付クラッチレバー４０５、昇降シリンダ３０６を作動させて前後車輪１０１，１０２を上下昇降させる昇降レバー４０６を支持している。
【００３７】
ハンドル操作部４００のスライドに応じて上記各レバー４０３〜４０６も機体２００の左右に変位するが、これらのうち、油圧回路と結ばれる昇降レバー４０６の操作連動部４０７は、ワイヤ式ではなくロッド式連動部で構成しており、この操作連動部４０７は、機体２００から延びるハンドルフレーム１３７に支持している。他のレバー４０３〜４０５はワイヤ式の連動部を介して各部と結んでおり、ハンドル操作部４００のスライド位置の変化を吸収してその各レバー操作を確実に伝達できるようになっている。
【００３８】
こうして、昇降レバー４０６を構成する操作レバーとその連動部４０７とは、互いに相対変位する２部材間において連結するものであるから、これら操作レバー４０６と連動部４０７との間は、ハンドル操作部４００のスライド位置に応じて位置変更自在に連結している。
【００３９】
尚、一回の走行作業中つまり畝の端から端まで行く一行程作業中においては比較的使用頻度の少ない、走行主変速レバー４０８、機体２００のスライド操作レバー４０９、株間調節レバー４１０は、スライド可能なハンドル操作部４００ではなく、機体２００側に直接支持している。
【００４０】
ところで、以上の構成で前後輪４つの車輪１０１，１０１，１０２，１０２は、トレッド変更可能に設けていると共に、下方側使用位置と上方側格納位置との間で上下昇降可能に支持しているのである。こうして特にトレッド変更等のメンテナンスや格納時のストッパ機能を向上させるため、車輪１０１及び１０２を上方側格納位置に位置させたとき接地する前方側及び後方側スタンド５００，５０１をそれぞれ接地位置と起立位置とに切換え可能に設けると共に、これらスタンド５００，５０１を接地位置と起立位置との一方に選択的に固定保持する固定レバー５０２，５０３を設けており、また、前方側スタンド５００には、機体２００のフレーム１００に対するスライド位置を示す目盛Ｄ１を設けていると共に、機体２００側と共にスライドするブラケット２０３にはその目盛Ｄ１を指し示す垂直なロッドから成る表示器Ｄ２を設けており、これら目盛Ｄ１と表示器Ｄ２とによりスライド位置検出器Ｄを構成している。こうして、前方側スタンド５００を起立状態にして作業を行なうとき、ハンドル操作する作業者側から機体２００のスライド位置を確認できるようにしている。
【００４１】
以上のように図８〜図１０に示した実施形態では、エンジン２０１や移植部Ａを備えた機体２００を、前後輪１０１，１０２で支持されるフレーム１００に機体幅方向にスライド可能に支持したから、前記機体２００を前記フレ−ム１００の幅方向一側に寄せて、このフレ−ム１００を一条の畝間溝に沿って往復移動させ、前記畝上に前記移植部Ａにより苗の植付けを行うことにより、この移植部Ａによる植付条数の整数倍数の苗を一条の畝上に植付けることができるのである。
【００４２】
例えば前記移植部Ａに１つの移植爪を設けた一条植え構成とした場合には、前記機体２００のフレーム１００に対するスライド位置を変えて、機体２００をフレーム１００の幅方向一側に寄せることにより、畝上における畝幅方向一方側に一列に植付けることができ、更に、進行方向を反転して畝上における畝幅方向他方側に苗の植付列を重複させることなく一列に植え付けることができ、一条の畝に前記移植爪の整数倍数である２条の苗を植付けることができるのであり、また、複数の移植爪を設ける場合には、該各移植爪の整数倍条数の苗を進行方向の反転によって植付けることができるのである。
【００４３】
更に、上述したように畝上における畝幅方向両方側に植付け後に、前記機体２００のフレーム１００に対するスライド位置を変え、機体２００をフレーム１００の幅方向中央部に位置させると、既に植付けた左右の苗列の中央に更に苗を植付けることができるのであって、一条の畝上における前記機体２００の相対位置を変更することにより、一条の畝に複数列の苗を植付けることができるのである。
【００４４】
そして、機体２００がフレーム１００の幅方向中央部寄りに位置され、畝溝から機体２００までの距離が遠退いても、ハンドル操作部４００は機体２００に対し幅方向にスライド可能に支持しているから、作業者の居る畝溝側にハンドル操作部４００を近付けることができ、畝溝を歩く作業者のハンドル操作もし易くできるのであり、操作のし辛さも回避できるのである。
【００４５】
このように機体２００がフレーム１００の幅方向中央部寄りに位置され、作業者の居る畝溝から機体２００ひいては苗台４及び延長苗台６までの距離が遠退いた場合においても、苗台４及び延長苗台６の苗が空になると、図１０のようにハンドル操作部４００を操作する位置から延長苗台６をフレーム１００の幅方向中央部寄り苗継ぎ位置に対してハンドル操作部４００側に変位した苗補給位置に横移動させるのであって、このように延長苗台６をハンドル操作部４００の操作位置すなわち作業者の居る側に近寄せることができるから、予備苗を、ハンドル操作部４００の操作位置から延長苗台６に容易に補給することができる。尚、この延長苗台６の移動操作は図１〜図７の場合と同様であるから、その説明を省略する。
【００４６】
また、図４に示した実施形態は、図８〜図１０の実施形態に適用してもよい。
【図面の簡単な説明】
【図１】本発明移植機の苗台部分のみの斜視図。
【図２】同苗台部分のみの分解斜視図。
【図３】同延長苗台を苗補給位置に移動させた状態の斜視図。
【図４】同苗台に葉押え体を設けた例を示す説明図。
【図５】同移植機の一部を省略した側面図。
【図６】同移植機の一部を省略した平面図。
【図７】同移植機の背面図。
【図８】同移植機の別の実施形態を示す側面図。
【図９】同図８の機体に搭載したエンジンなどを省略した平面図。
【図１０】同図８の正面図。
【符号の説明】
４……苗台
６……延長苗台
【図１】
0003559918.tif 000002
【図２】
0003559918.tif 000003
【図３】
0003559918.tif 000004
【図４】
0003559918.tif 000005
【図５】
0003559918.tif 000006
【図６】
0003559918.tif 000007
【図７】
0003559918.tif 000008
【図８】
0003559918.tif 000009
【図９】
0003559918.tif 000010
【図１０】
0003559918.tif 000011